(57)【要約】【課題】ディスプレイ装置を水平なバー等に引っ掛けて取り付けられるようにし、しかもその取付手段を運搬用把手としても用いることができるようにする。【解決手段】ディスプレイ装置１はキャビネット１０の背面に窓１１を有し、窓１１にはフック部材１２が水平軸線まわりに回動可能に配置されている。フック部材１２には、断面形状Ｕ字形の引っ掛け用フック１４と、回動範囲を制限する当たり１５、１６が形成される。フック部材１２は、引っ掛け用フック１４がキャビネット１０の内部に格納された第１姿勢と、引っ掛け用フック１４がキャビネット１０の背面に突出する第２姿勢とをとり得る。キャビネット１０とフック部材１２の間には、フック部材１２を第１姿勢または第２姿勢に安定させる係合部が形成されている。【選択図】図３
2009037034.tif 000002
【特許請求の範囲】
【請求項１】
運搬用把手に兼用できる引っ掛け用フックを有するフック部材をキャビネット背面に有し、前記フック部材は水平軸線まわりに回転可能であって、前記引っ掛け用フックが前記キャビネット内に格納される第１姿勢と、前記引っ掛け用フックが前記キャビネット背面に突出する第２姿勢をとり得ることを特徴とするディスプレイ装置。
【請求項２】
前記キャビネットと前記フック部材の間には、フック部材を前記第１姿勢または第２姿勢に安定させる係合部が形成されていることを特徴とする請求項１に記載のディスプレイ装置。
【発明の詳細な説明】
【技術分野】
【０００１】
本発明は、テレビジョン受像器やコンピュータモニター等のディスプレイ装置に関する。
【背景技術】
【０００２】
最近のディスプレイ装置は、液晶パネルやプラズマパネルといった平面表示手段を用いるものが殆どである。そして全体形状が薄型になっており、壁に掛けられるものが多い。
【０００３】
ディスプレイ装置を壁に掛ける仕組みとしてはこれまでにも様々なものが提案されており、その例を特許文献１−３に見ることができる。特許文献１にはチルト機構を備えた壁掛具が記載されている。特許文献２にも同様の壁掛具が記載されている。特許文献３にはキャビネットの側壁に配設した腕部材により壁掛けを可能としたテレビジョン受像器が開示されている。
【特許文献１】特開２００２−３２０３４号公報
【特許文献２】特開２０００−３１３８号公報
【特許文献３】特開２００５−５７４２４号公報
【発明の開示】
【発明が解決しようとする課題】
【０００４】
ディスプレイ装置を梱包箱から出したり、ディスプレイ装置の設置場所を変えたりするとき、ディスプレイ装置に把手が備わっていると便利である。以前主流であったＣＲＴ方式のディスプレイ装置では、キャビネットの奥行きが深く、側面に把手を設けるのも容易であったが、液晶パネルやプラズマパネルを用いてキャビネットを薄型にしたものではそれが難しい。
【０００５】
本発明は上記の点に鑑みなされたものであり、ディスプレイ装置を水平なバー等に引っ掛けて取り付けられるようにし、しかもその取付手段を運搬用把手としても用いることができるようにすることを目的とする。
【課題を解決するための手段】
【０００６】
上記目的を達成するために本発明ディスプレイ装置は、運搬用把手に兼用できる引っ掛け用フックを有するフック部材をキャビネット背面に有し、前記フック部材は水平軸線まわりに回転可能であって、前記引っ掛け用フックが前記キャビネット内に格納される第１姿勢と、前記引っ掛け用フックが前記キャビネット背面に突出する第２姿勢をとり得ることを特徴としている。
【０００７】
この構成によると、ディスプレイ装置を梱包箱に収納する際、あるいはスタンドを利用して立てる場合はフック部材を第１姿勢にして引っ掛け用フックが突出しないようにし、ディスプレイ装置を壁掛け式で設置する場合や運搬する場合はフック部材を第２姿勢にして引っ掛け用フックをキャビネット背面に突出させることができる。
【０００８】
本発明は、上記構成のディスプレイ装置において、前記キャビネットと前記フック部材の間には、フック部材を前記第１姿勢または第２姿勢に安定させる係合部が形成されていることを特徴としている。
【０００９】
この構成によると、第１姿勢においても第２姿勢においてもフック部材がふらつかないようにすることができるので、ディスプレイ装置を梱包箱に入れようとしたところ引っ掛け用フックが出てきて邪魔をしたり、引っ掛け用フックを固定部材に引っ掛けようとしたところ、キャビネット内に引っ込んでしまってうまく行かなかったり、などの不都合を防止できる。
【発明の効果】
【００１０】
本発明によると、ディスプレイ装置を梱包箱に収納するときやスタンドを利用して立てる場合はフック部材を第１姿勢にして引っ掛け用フックを引っ込め、壁掛け式で設置する場合や運搬する場合はフック部材を第２姿勢にして引っ掛け用フックを出せばよく、第１姿勢と第２姿勢の切り換えに難しい操作は必要でないから、ディスプレイ装置の使い勝手を向上させることができる。
【発明を実施するための最良の形態】
【００１１】
以下、図１−３に基づき本発明の実施形態を説明する。図１は水平な支持バーに引っ掛けた状態のディスプレイ装置の背面斜視図、図２及び図３はディスプレイ装置のキャビネットの部分拡大断面図にして図２はフック部材が第１姿勢にあるときのもの、図３はフック部材が第２姿勢にあるときのものである。
【００１２】
ディスプレイ装置１は薄型のテレビジョン受像器またはコンピュータのモニターであり、
合成樹脂製のキャビネット１０を備える。キャビネット１０の背面には左右に間隔を置いて２箇所に窓１１が形成される。窓１１の高さは左右どちらも同じである。
【００１３】
窓１１にはフック部材１２が配置される。フック部材１２は、左右両側に突き出した水平な支軸１３により、水平軸線まわりに回動できるように取り付けられる。フック部材１２には、断面形状Ｕ字形の引っ掛け用フック１４と、回動範囲を制限する当たり１５、１６が形成される。フック部材１２は、図２のように引っ掛け用フック１４がキャビネット１０の内部（図の左側がキャビネット１０の内側、右側が外側である）に格納された第１姿勢と、図３のように引っ掛け用フック１４がキャビネット１０の背面に突出する第２姿勢とをとり得るものである。
【００１４】
フック部材１２の第１姿勢と第２姿勢を安定させるため、キャビネット１０とフック部材１２の間に係合部を設ける。窓１１の上縁と、フック部材１２から突出し、窓１１の上縁に係合する弾性爪１７とが、フック部材１２を第１姿勢に安定させるための係合部を構成する。窓１１の下縁と、フック部材１２から突出し、窓１１の下縁に係合する弾性爪１８とが、フック部材１２を第２姿勢に安定させるための係合部を構成する。
【００１５】
図２のようにフック部材１２を第１姿勢にすると、引っ掛け用フック１４がキャビネット１０の背面に突出しないので、図示しない梱包箱にディスプレイ装置１を入れたり、ディスプレイ装置１をスタンドで立てたりするのに適した状態となる。この状態は窓３の上縁に弾性爪１７が係合することにより安定して維持され、ディスプレイ装置１を梱包箱に入れようとしたところ引っ掛け用フック１４が出てきて邪魔をするなどの事態を防ぐことができる。
【００１６】
図３のようにフック部材１２を第２姿勢にすると、引っ掛け用フック１４がキャビネット１０の背面に突出する。この状態では、引っ掛け用フック１４を把手として利用したり、固定部材である水平なバー２０に引っ掛け用フック１４を引っ掛けたりすることが可能となる。この状態は窓３の下縁に弾性爪１８が係合することにより安定して維持され、引っ掛け用フック１４をバー２０に引っ掛けようとしたところ、引っ掛け用フック１４がキャビネット１０内に引っ込んでしまったなどの事態が防がれる。
【００１７】
以上本発明の実施形態につき説明したが、発明の主旨を逸脱しない範囲でさらに種々の変更を加えて実施することができる。
【産業上の利用可能性】
【００１８】
本発明は薄型のディスプレイ装置に利用可能である。
【図面の簡単な説明】
【００１９】
【図１】水平な支持バーに引っ掛けた状態のディスプレイ装置の背面斜視図
【図２】ディスプレイ装置のキャビネットの部分拡大断面図にして、フック部材が第１姿勢にあるときのもの
【図３】ディスプレイ装置のキャビネットの部分拡大断面図にして、フック部材が第２姿勢にあるときのもの
【符号の説明】
【００２０】
１    ディスプレイ装置
１０  キャビネット
１１  窓
１２  フック部材
１３  支軸
１４  引っ掛け用フック
１５、１６  当たり
１７、１８  弾性爪
２０  バー
【図１】
2009037034.tif 000003
【図２】
2009037034.tif 000004
【図３】
2009037034.tif 000005